(57)【要約】【課題】機械室内の熱源から当該機械室の後方へ排出される放熱気流を円滑に上方へ案内するようにした飲料冷却装置を提供する。【解決手段】熱源を収容する機械室１０の後側パネル１０ｄは、下側及び上側の各パネル部１３、１４を有する。下側パネル部１３は、機械室１０の後側開口部の下部を閉じており、この下側パネル部１３には、複数の通気孔１３ａが形成されている。上側パネル部１４の傾斜部１４ａは、下側パネル部１３から飲料冷却室２０の後壁２２にかけて傾斜状に延出している。左右両側閉鎖部１４ｃは、傾斜部１４ａの左右両端から折れ曲げられて、傾斜部１４ａ、飲料冷却室２０の後壁２２の下端部２２ａ及び機械室１０の後側開口部１の上端部との間に形成されれる空所を閉じる。【選択図】    図２
2005003240.tif 000002
【特許請求の範囲】
【請求項１】
冷凍ユニットの熱源を収容してなる機械室と、この機械室上に設けられて当該機械室の後方へ突出する飲料冷却室とを備え、
この飲料冷却室は、水槽、この水槽内に設けた前記冷凍ユニットの蒸発器、及び前記水槽内に設けた飲料冷却管を収容しており、
前記機械室は、その後側開口部にて、後壁により閉じられる飲料冷却装置において、
前記後壁は、前記後側開口部の下部を閉じる下側壁部であって複数の通気孔を形成してなる下側壁部と、この下側壁部の上端から前記飲料冷却室の後端部にかけて延出する傾斜部を有する上側壁部とを備えることを特徴とする飲料冷却装置。
【請求項２】
前記飲料冷却室は、ハウジングと、このハウジング内に収容されて前記水槽を包囲する筒状断熱部材とを備え、前記熱源は、前記蒸発器に冷媒配管を介し接続される圧縮機を有しており、
前記冷媒配管は、前記蒸発器から前記断熱部材の上端開口部を介し前記ハウジング及び断熱部材の各後部の間を通り前記傾斜部の内側に延出しその長手方向に通り前記機械室内に延出して前記圧縮機に接続されることを特徴とする請求項１に記載の飲料冷却装置。
【請求項３】
前記飲料冷却室は、前記水槽を包囲するハウジングを備え、
前記熱源は、前記水槽に冷却水循環ホースを介し接続される給水ポンプを有しており、前記冷却水循環ホースは、前記給水ポンプから前記機械室の後側を通り前記傾斜部の内側に延出し、さらに前記ハウジング内の後部内に延出して前記水槽に接続されることを特徴とする請求項１に記載の飲料供給装置。
【発明の詳細な説明】
【０００１】
【発明の属する技術分野】
本発明は、飲料注出システムに採用される飲料冷却装置に関するものである。
【０００２】
【従来の技術】
従来、飲料注出システムの飲料冷却装置に類似するものとしては、下記特許文献１に開示された製氷機の製氷機本体がある。この製氷機本体は、機械室と、この機械室上に設けた製氷室とを備えている。機械室内には、冷凍回路が蒸発器を除き設けられており、製氷室内には蒸発器及び製氷機構が設けられている。
【０００３】
ここで、冷凍回路は、圧縮機や凝縮器等の熱源を有する。この熱源の放熱を機械室の外方へ放出するため、機械室の背面には複数の通気孔が形成されている。また、機械室の背面が壁面に密着することを防止するため、帯状の突出板が、製氷室の背面に突設されて、製氷室の背面の直下にて機械室の背面と壁面との間に放熱空間を形成するようになっている。
【０００４】
【特許文献１】
実公平７−１４７７９号公報
【０００５】
【発明が解決しようとする課題】
ところで、飲料注出システムに採用される飲料冷却装置は、機械室と、この機械室上に設けた冷却室とを備えている。この飲料冷却装置の機械室内には、上記製氷機本体の機械室と同様に、冷凍回路が蒸発器を除き設けられており、飲料冷却室内には、冷却水槽、蒸発器、コイル状の飲料冷却管が設けられている。
【０００６】
ここで、飲料冷却装置の機械室内の冷凍回路は、製氷機本体の機械室内の冷凍回路と同様に、圧縮機や凝縮器等の熱源を有する。従って、この熱源の放熱は、機械室の外方へ放出する必要がある。
【０００７】
これに対する対策としては、上記製氷機本体の製氷室に突設した突出板を飲料冷却装置に採用して飲料冷却装置の機械室の背面に放熱空間を形成することが考えられる。
【０００８】
しかし、突出板を飲料冷却室の背面に設けると、上述のように機械室の背面に放熱空間が形成されても、飲料冷却室が直方体形状であることから、当該飲料冷却室の底面が、機械室の背面からその背部側へ当該背面に直角にかつ水平状に延出する。このため、飲料冷却装置の機械室の背面に形成した複数の通気孔を通して上記熱源から放熱されても、この放熱は、上述のように飲料冷却室の底面のうち機械室の背面から背部側へ直角に延出する部分により、上方への流れを阻止される。従って、機械室内からの放熱が円滑にはなされにくいという不具合を招く。また、上述のように、突出板を飲料冷却室の背面に設けると、当該飲料冷却室が、突出板の板厚分だけ側面から前方へ突出することになり、飲料冷却装置の設置空間の省スペース化の妨げとなる。
【０００９】
そこで、本発明は、以上のようなことに対処するため、機械室内の熱源から当該機械室の後方へ排出される放熱気流を円滑に上方へ案内するようにした飲料冷却装置を提供することを目的とする。
【００１０】
【課題を解決するための手段】
上記課題の解決にあたり、本発明に係る飲料冷却装置は、請求項１の記載によれば、
冷凍ユニット（１０ｅ）の熱源（１５ａ、１５ｂ）を収容してなる機械室（１０）と、この機械室上に設けられて当該機械室の後方へ突出する飲料冷却室とを備え、
この飲料冷却室は、水槽、この水槽内に設けた冷凍ユニットのコイル状蒸発器、及び水槽内に設けた飲料冷却管を収容しており、
機械室は、その後側開口部（１０ａ、１１）にて、後壁（１０ｄ）により閉じられる。
【００１１】
当該飲料冷却装置において、後壁は、上記後側開口部の下部を閉じる下側壁部であって複数の通気孔（１３ａ）を形成してなる下側壁部（１３）と、この下側壁部の上端から飲料冷却室の後端部にかけて延出する傾斜部（１４ａ）を有する上側壁部（１４）とを備えることを特徴とする。
【００１２】
これによれば、熱源が放熱すると、この放熱は、機械室内から下側壁部の各通気孔を通り気流でもって排出される。一方、上述のごとく、機械室の後壁が、上側壁部の傾斜部にて、下側壁部の上端部から飲料冷却室の下端後部に向けて傾斜状に延出している。従って、上述のように機械室内から下側壁部の各通気孔を通り排出される放熱気流は、機械室の後面と飲料冷却室２０の後部下面との間で滞留することなく、傾斜部の外面に沿い上方へ円滑に案内されて飲料冷却室の後面に沿い上方に流動し得る。
【００１３】
また、本発明は、請求項２の記載によれば、請求項１に記載の飲料冷却装置において、飲料冷却室は、ハウジング（２０ａ）と、このハウジング内に収容されて水槽を包囲する筒状断熱部材（２０ｂ）とを備え、熱源は、蒸発器に冷媒配管（１８）を介し接続される圧縮機（１５ａ）を有しており、
冷媒配管は、蒸発器から断熱部材の上端開口部を介しハウジング及び断熱部材の各後部の間を通り上記傾斜部の内側に延出しその長手方向に通り機械室内に延出して圧縮機に接続される。
【００１４】
これにより、蒸発器と圧縮機との間に接続される冷媒配管は、傾斜部の内側ではその長手方向に延在することになる。従って、当該冷媒配管のうち傾斜部の内側で延在する部位は、ハウジングの後部下側及び機械室の後側に脱出するしても、上側壁部により覆われて、少なくとも後側に露出することはない。このことは、請求項１に記載の発明の作用効果を達成しつつ、後壁が、機械室から当該下側壁部の各通気孔を通り流出される放熱気流の円滑な排気に加えて、冷媒配管のうち傾斜部の内側で延在する部位の後側への露出を防ぐ役割をも兼ねることを意味する。
【００１５】
また、本発明は、請求項３の記載によれば、請求項１に記載の飲料供給装置において、飲料冷却室は、水槽を包囲するハウジング（２０ａ）を備え、熱源は、水槽に冷却水循環ホース（１７）を介し接続される給水ポンプ（１０ｆ）を有しており、冷却水循環ホースは、給水ポンプから機械室の後側を通り上記傾斜部の内側に延出し、さらにハウジングの後部内に延出し水槽に接続されることを特徴とする。
【００１６】
これによれば、給水ポンプが放熱すると、この放熱は、機械室内から下側壁部の各通気孔を通り気流でもって排出されるが、この放熱気流は、請求項１に記載の発明と同様に、後壁の傾斜部により上方へ円滑に案内されて上方に流動し得る。
【００１７】
また、給水ポンプと水槽との間に接続される冷却水循環ホースのうち傾斜部の内側を通る部位は、上側壁部により覆われて、少なくとも後側に露出することはない。
【００１８】
このことは、請求項１に記載の発明の作用効果を達成しつつ、後壁が、機械室内の給水ポンプから当該下側壁部の各通気孔を通り流出される放熱気流の円滑な排気に加えて、冷却水循環ホースのうち傾斜部の内側を通る部位の後側への露出を防ぐ役割をも兼ねることを意味する。
【００１９】
なお、上記各手段の括弧内の符号は、後述する実施形態に記載の具体的手段との対応関係を示すものである。
【００２０】
【発明の実施の形態】
以下、本発明の一実施形態を図面に基づいて説明する。
【００２１】
図１は、本発明が適用される飲料注出システムの一実施形態を示している。この飲料注出システムは、その本体である飲料冷却装置Ｂと、ガスボンベＧと、飲料樽Ｔとにより構成されている。
【００２２】
飲料冷却装置Ｂは、図１にて示すごとく、設置面上に設置した機械室１０と、この機械室１０上に載置固定した飲料冷却室２０とを備えており、これら機械室１０及び飲料冷却室２０は、略直方体形状に形成されている。ここで、飲料冷却室２０は、図１〜図４にて示すごとく、その底壁２１の後部２１ａにて、機械室１０の上壁から後側へ突出している。
【００２３】
機械室１０は、枠体１０ａを備えており、この枠体１０ａは、図１〜図５のいずれかにより示すごとく、直方体形状となるように、左右前後側の各四角環状枠壁１１を四角形状の底壁１２の各端部から上方に延出して構成されている。
【００２４】
また、機械室１０は、図１〜図５から分かるように、左右両側パネル１０ｂ、１０ｃ、後側パネル１０ｄ及び上側パネル（図示しない）を備えており、左側パネル１０ｂは、図１及び図５にて示すごとく、枠体１０ａの左側四角環状枠壁１１にその開口部を閉じるように取り付けられている。右側パネル１０ｃは、図２にて示すごとく、枠体１０ａの右側四角環状枠壁１１にその開口部を閉じるように取り付けられている。なお、左右両側パネル１０ｂ、１０ｃには、図１及び図２から分かるように、複数の横長状の通気孔が形成されている。
【００２５】
また、後側パネル１０ｄは、図２にて示すごとく、枠体１０ａの後側四角環状枠壁１１から飲料冷却室２０の後壁２２の下端部２２ａにかけて取り付けられている。具体的には、後側パネル１０ｄは、下側パネル部１３と、上側パネル部１４とを備えており、下側パネル部１３は、枠体１０ａの後側四角環状枠壁１１のうちその上端部を除く部位全体に亘り装着されている。この下側パネル部１３は、複数の横長状通気孔１３ａを備えており、これら通気孔１３ａは、下側パネル部１３の内外を連通させる役割を果たす。
【００２６】
上側パネル部１４は、図１、図２及び図５から分かるように、傾斜部１４ａと、取り付け部１４ｂと、左右両側閉鎖部１４ｃとを備えており、傾斜部１４ａは、下側パネル部１３の上端部から飲料冷却室２０の後壁２２の下端にかけて後方かつ上方へ傾斜状に延出している。取り付け部１４ｂは、傾斜部１４ａの上端から下側パネル部１３に平行となるように折り曲げられて、飲料冷却室２０の後壁２２の下端部２２ａにねじの締着により取り付けられている。
【００２７】
左右両側閉鎖部１４ｃは、それぞれ、傾斜部１４ａの左右両端から当該傾斜部１４ａに直角に折れ曲がるように三角形状にて延出しており、これら左右両側閉鎖部１４ｃは、飲料冷却室２０の底壁２１の後部２１ａにその左右両端にて下方から装着されるとともに、枠体１０ａの後側四角環状枠壁１１の上端部にその左右両端にて後方から装着されている。
【００２８】
これにより、上側パネル部１４は、傾斜部１４ａ、飲料冷却室２０の後壁２２の下端部２２ａ及び枠体１０ａの後側四角環状枠壁１１の上端部との間に三角柱状空所を形成するようにして、当該三角柱状空所を閉鎖している（図２参照）。なお、上側パネルは、その前後左右端部にて、枠体１０ａの各四角環状枠壁１１の上端に取り付けられて、底壁１２に平行に位置している。
【００２９】
次に、機械室１０内の構成について説明すると、冷凍ユニット１０ｅが、図３及び図４のいずれかに示すように、コイル状蒸発器（図示しない）を除き、給水ポンプ１０ｆと共に、機械室１０内に収容されている。
【００３０】
冷凍ユニット１０ｅは、上記コイル状蒸発器の他に、図３〜図５から分かるように、圧縮機１５ａや凝縮器１５ｂ等を備えている。当該冷凍ユニットにおいて、圧縮機１５ａがそのモータの作動のもとに冷媒を圧縮して圧縮冷媒を吐出すると、この吐出冷媒は凝縮器１５ｂにより凝縮された後上記蒸発器を通り圧縮機１５ａに還流する。このような過程において、上記蒸発器はその流入冷媒に基づき冷却機能を発揮する。
【００３１】
ここで、圧縮機１５ａは、図２〜図４から分かるように、枠体１０ａの後側枠壁１１の近傍、即ち、後側パネル１０ｄの近傍にて、底壁１２上に固定されている。また、凝縮器１５ｂは、図５及び図６にて示すように、枠体１０ａの前側枠壁１１の近傍にて、底壁１２上に固定されており、この凝縮器１５ｂは、その壁状前側フィンｆにて、間隙ｇを介し前側枠壁１１に対向している。
【００３２】
給水ポンプ１０ｆは、図３から分かるように、機械室１０内略中央にて底壁１２上に固定されており、この給水ポンプ１０ｆは、ポンプ部１６ａをモータ１６ｂにより駆動するように構成されている。しかして、給水ポンプ１０ｆにおいては、ポンプ部１６ａが、モータ１６ｂにより駆動されて、飲料冷却室２０内の水槽（図示しない）から冷却水を汲み出して、冷却水循環ホース１７内に圧送する。
【００３３】
ここで、冷却水循環ホース１７は、図３及び図４にて示すごとく、その流入端部１７ａにて、ポンプ部１６ａのくみ出し孔に接続されている。この冷却水循環ホース１７は、その流入端部１７ａからＬ字状に機械室１０の上壁に沿い後方へ延出し、後側枠壁１１の開口部のうち右側上部を通り後方へ延出し、ハウジング２０ａ内にその底壁２１の後端部２１ａのうち右端部を通り上方へＬ字状に延出し、断熱部材２０ｂの後側右端部を通り空所２０ｃ内に延出する。このように延出した冷却水循環ホース１７は、その流出端部（図示しない）でもって、空所２０ｃ内にて、断熱ホースＨ内の冷却ホースｈ１の流入端部に接続されている。
【００３４】
飲料冷却室２０は、図３及び図４にて示すごとく、直方体形状のハウジング２０ａと、このハウジング２０ａ内に収容した略四角筒状断熱部材２０ｂとを備えており、断熱部材２０ｂ内には、冷却水を蓄える上記水槽、この水槽内に設けた上記蒸発器、及びこの蒸発器内に設けたコイル状飲料冷却管が収容されている。
【００３５】
しかして、上記蒸発器は、その冷却機能により、上記水槽内の冷却水を冷却する。また、当該蒸発器は、その流出端部にて、冷媒配管１８を介し、機械室１０内の圧縮機１５ａの吸入孔に連通しており、この蒸発器は、その流入冷媒を、冷媒配管１８を通し圧縮機１５ａによりその吸入孔から吸入させる。
【００３６】
また、上記飲料冷却管は、その内部に後述のように供給される飲料にて、上記水槽内の冷却水により冷却される。当該飲料冷却管は、その流出端部でもって、空所２０ｃ内にて、断熱ホースＨ内の飲料ホースｈ２の流入端部に接続されている。
【００３７】
これによれば、冷却水循環ホース１７のうち、図３及び図４にて示すごとく、枠体１０ａの後側枠壁１１の開口部の後方からハウジング２０ａの底壁２１内にＬ字状に延出するホース部位１７ｂは、飲料冷却室２０の下側で機械室１０の上部後側に露出するため、当該ホース部位１７ｂは、後側パネル１０ｄの上側パネル部１４により上述のように底壁２１の後端部２１ａ、後側枠壁１１の上端部及び傾斜部１４ａとの間に形成される三角柱状空所の右端部内に収容されている。なお、飲料ホースｈ２は、冷却ホースｈ１と抱き合わせでもって、断熱ホースＨにより並行に被覆されている。
【００３８】
ここで、ハウジング２０ａは、図１〜図５から分かるように、上述した底壁２１及び後壁２２、並びに左右両壁２３、上壁２４及び四角環状前壁２５により、直方体形状に形成されている。また、断熱部材２０ｂは、その上端開口部にて、蓋板２６により閉じられている。これにより、ハウジング２０ａ内においては、当該蓋板２６と上壁２４との間には、左右両壁２３、後壁２２及び前壁２５の各上端部の内側にて空所２０ｃが形成されている（図３及び図４参照）。
【００３９】
また、冷媒配管１８は、図３及び図４にて示すごとく、その流入端部１８ａにて、蓋板２６の左側後部に形成した切り欠き２６ａを通り空所２０ｃ内に延出する上記蒸発器の流出端部ａに接続されている。また、当該冷媒配管１８は、その流入端部１８ａから延出し、ハウジング２０ａの後壁２２及び左壁２３の交差部で形成する隅角部と断熱部材２０ｂの左側後部の切り欠き部２７との間に沿い降下し、図４にて示すごとく、さらに、ハウジング２０ａの底壁２１の後端部２１ａの外面に沿い左右方向にＬ字状に延出し、ついで当該ハウジング２０ａの後端部２１ａの外面から機械室１０内に後側枠壁１１の開口部の上部を通りＵ字状に延出しさらにＬ字状に下方に延びて、流出端部１８ｂにて、圧縮機１５ａの吸入孔に接続されている。
【００４０】
これによれば、冷媒配管１８のうち、ハウジング２０ａの底壁２１の後端部２１ａの外面に沿い図４にて示すごとく左右方向に位置する配管部位１８ｃは、飲料冷却室２０の下側で機械室１０の上部後側に露出するため、当該配管部位１８ｃは、後側パネル１０ｄの上側パネル部１４により上述のように底壁２１の後端部２１ａ、後側枠壁１１の上端部及び傾斜部１４ａとの間に形成される上記三角柱状空所内に収容されている。
【００４１】
また、当該飲料注出装置は、図１〜図３及び図５から分かるように、エアフィルター３０、上側前カバー４０及び前側パネル５０を備えている。エアフィルター３０は、四角板形状のもので、このエアフィルター３０は、機械室１０内にて前側枠壁１１と凝縮器１５ｂの前側フィンｆとの間に介装されている。詳細には、エアフィルター３０は、図６にて示すごとく、その下端部３０ａにて、前側枠壁１１と凝縮器１５ｂの前側フィンｆとの間の上記間隙ｇの下部内に嵌装されて、凝縮器１５ｂの前側フィンｆに並行に立設するように介装されている。このような状態では、エアフィルター３０の各爪３１が凝縮器１５ｂの前側フィンｆ内に入り込んでいる（図６参照）。
【００４２】
上側前カバー４０は、コ字状のもので、この前カバー４０は、図１及び図５にて示すごとく、ハウジング２０ａの上壁２４のうち前壁２５の上端部よりも前側へ延出する延出部位２４ａの直下にて、前壁２５の上端部に設けられている。また、前側パネル５０は、ハウジング２０ａにその前壁２５に前後方向に開閉可能に支持されており、この前側パネル５０の下部に形成した開口部５１には、ルーバ５０ａが着脱可能にはめ込まれている。なお、開口部５１は、エアフィルター３０に対向している。
【００４３】
飲料樽Ｔは、ガスボンベＧから圧送されるガスに基づき飲料を飲料供給ホースＴ１及び飲料用継ぎ手４０ａを介し飲料冷却室２０内の飲料冷却管内に供給する。飲料抽出機Ｄは、その流入ホースにて、断熱ホースＨ内の飲料ホースｈ２を介し上記飲料冷却管から飲料を流入される。なお、飲料抽出機Ｄは図１にて示すごとくカウンタに設けられている。
【００４４】
以上のように構成した本実施形態において、冷凍ユニット１０ｅの圧縮機１５ａがそのモータの作動により冷媒を圧縮して吐出すると、この圧縮冷媒は凝縮器１５ｂにより凝縮され上記蒸発器を通り圧縮機１５ａに環流する。これに伴い、圧縮機１５ａや凝縮器１５ｂが機械室１０内にて熱エネルギーを発生し放熱する。
【００４５】
また、給水ポンプ１０ｆでは、ポンプ部１６ａがモータ１６ｂにより駆動されて上記水槽内の冷却水をくみ取り冷却水循環ホース１７内に吐出する。これに伴い、給水ポンプ１０ｆが機械室１０内にて熱エネルギーを発生し放熱する。従って、これら放熱は、機械室１０ａ内から下側パネル部１３の各通気孔１３ａを通り気流でもって排出される。
【００４６】
一方、上述のごとく、機械室１０の後側パネル１０ｄが、上側パネル部１４の傾斜部１４ａにて、下側パネル部１３の上端部から飲料冷却室２０の後壁２２の下端に向けて後方かつ上方へ傾斜状に延出している。従って、上述のように機械室１０ａ内から下側パネル部１３の各通気孔１３ａを通り排出される放熱気流は、機械室１０の後面と飲料冷却室２０の後部下面との間で滞留することなく、傾斜部１４ａの外面に沿い上方へ円滑に案内されて飲料冷却室２０の後面に沿い上方に流動し得る。
【００４７】
ここで、飲料冷却装置Ｂが、その後面にて、側壁に密着していたとしても、当該飲料冷却装置Ｂの側面に沿い放熱気流が流動し得る。従って、下側パネル部１３の各通気孔１３ａを通り排出される放熱気流が、機械室１０の後面と飲料冷却室２０の後部下面との間で滞留することはない。
【００４８】
また、後側パネル１０ｄは、上述のごとく、上側パネル部１４のうち傾斜部１４ａ及び左右両側閉鎖部１４ｃでもって、飲料冷却室２０の後壁２２の下端部２２ａ及び枠体１０ａの後側四角環状枠壁１１の上端部との間に三角柱状空所を形成することを利用して、この空所内に、冷媒配管１８の配管部位１８ｃ及び冷却水循環ホース１７のホース部位１７ｂを収容するようにした。従って、冷媒配管１８の配管部位１８ｃ及び冷却水循環ホース１７のホース部位１７ｂがハウジング２０の後部下側及び機械室１０の後側に脱出するが、これら配管部位１８ｃ及びホース部位１７ｂが外部に露出することはない。
【００４９】
このことは、後側パネル１０ｄが、機械室１０から当該後側パネルの各通気孔１３ａを通り流出される放熱気流の円滑な排気に加えて、配管部位１８ｃ及びホース部位１７ｂの外部への露出を防ぐ役割をも兼ねることを意味する。
【００５０】
また、エアフィルタ３０を機械室１０から取り外した後、再度、当該エアフィルタ３０を機械室１０に組み付けるにあたっては、次のようにする。即ち、エアフィルター３０を、その下端部３１にて、前側枠壁１１と凝縮器１５ｂの前側フィンｆとの間の上記間隙ｇの下部内に嵌装しながら、凝縮器１５ｂの前側フィンｆに沿わせるように立設する。このとき、エアフィルター３０の各爪３１を凝縮器１５ｂの前側フィンｆ内に押し込むようにする。このように、前側枠壁１１と凝縮器１５ｂの前側フィンｆとの間の間隙ｇを利用して、エアフィルター３０を前側枠壁１１と凝縮器１５ｂの前側フィンｆとの間の間隙ｇ内に容易にしかも確実に組み付けることができる。
【図面の簡単な説明】
【図１】本発明の一実施形態の全体構成を示す概略斜視図である。
【図２】図１の飲料冷却装置を後方から見た斜視図である。
【図３】図１の飲料冷却装置を、後側パネル及び右側パネルを除いた状態で、後方から見た部分破断斜視図である。
【図４】図１の飲料冷却装置を、後側パネルを除いた状態で、後方から見た部分破断後面図である。
【図５】図１の飲料冷却装置を、前側パネルを除いた状態で、エアフィルタを分解した斜視図である。
【図６】機械室内にエアフィルターを組み込んだ状態で示す当該機械室の拡大部分断面図である。
【符号の説明】
１０…機械室、１０ａ…枠体、１０ｄ…後側パネル、１０ｅ…冷凍ユニット、１０ｆ…給水ポンプ、１１…枠壁、１３…下側パネル部、１３ａ…通気孔、１４…上側壁部、１４ａ…傾斜部、１４ｃ…閉塞部、１５ａ…圧縮機、１５ｂ…凝縮器、１７…冷却水循環ホース、１８…冷媒配管、２０…飲料冷却室、２０ａ…ハウジング、２０ｂ…断熱部材。
【図１】
2005003240.tif 000003
【図２】
2005003240.tif 000004
【図３】
2005003240.tif 000005
【図４】
2005003240.tif 000006
【図５】
2005003240.tif 000007
【図６】
2005003240.tif 000008